(57)【要約】【課題】水位検知手段をトレイ収納部に設けても給湯トレイをトレイ収納部にセットする際の洗浄液がこぼれにくくすることができることを目的とする。【解決手段】天面を覆った給湯トレイ１４と、給湯トレイ１４を収納するトレイ収納部１２と、トレイ収納部１２には、給湯トレイ１４の外側面に近接する位置に静電容量式の水位検知手段２５を設けたことにより、給湯トレイ１４の外側面に近接する位置に静電容量式の水位検知手段２５を設けて給湯トレイ１４の内部の洗浄液を検知することとなるので、水位検知手段２５を設けても給湯トレイ１４をトレイ収納部１２にセットする際の洗浄液のこぼれを防止することができるレンジフードを得られる。【選択図】図３
2018124002.tif 000002
【特許請求の範囲】
【請求項１】
洗浄液を用いて、内部を洗浄する機能を有したレンジフードにおいて、
天面を覆った給湯トレイと、
前記給湯トレイを収納するトレイ収納部と、
前記トレイ収納部には、前記給湯トレイの外側面に近接する位置に静電容量式の水位検知手段を設けた、
ことを特徴とするレンジフード。
【請求項２】
前記給湯トレイは、天面に内部の洗浄液を吸い込むための吸込口を挿入する開口を設けた、ことを特徴とする請求項１記載のレンジフード。
【請求項３】
前記水位検知手段は、
基準とする静電容量検知部Ａと、
前記静電容量検知部Ａに対して横幅を同一にして縦方向に長く、かつ、下端を同じ高さに配置した静電容量検知部Ｂと、
前記静電容量検知部Ａの出力値Ａおよび前記静電容量検知部Ｂの出力値Ｂを用いて水位演算を行う演算部を有し、
前記演算部は、前記出力値Ａと前記出力値Ｂとの差を水位に換算する、
ことを特徴とする請求項１または２に記載のレンジフード。
【請求項４】
前記水位検知手段は、
前記静電容量検知部Ａと前記静電容量検知部Ｂとが配置された周囲温度を測定する温度検知部を備え、
前記演算部は、前記温度検知部の検知する温度によって
前記静電容量検知部Ａの出力値Ａと前記静電容量検知部Ｂの出力値Ｂの補正を行う温度補正手段を備えた、
ことを特徴とする請求項１から３いずれかひとつに記載のレンジフード。
【発明の詳細な説明】
【技術分野】
【０００１】
本発明は、レンジフードに関する。
【背景技術】
【０００２】
従来、この種のレンジフードとして、洗浄液で羽根車を洗浄するものが知られている（例えば、特許文献１参照）。
【０００３】
この特許文献１に記載された従来の羽根車を洗浄するレンジフードについて説明する。ファンケーシングの下方には、箱状で下面が開口したトレイ収納部が設けられている。トレイ収納部の内部には、羽根車を洗浄するための洗浄液を貯水する給湯トレイと、羽根車の洗浄後の排水を受ける排水トレイが着脱可能で収納できるようになっている。そして、この給湯トレイは、上面に開口を有している。給湯トレイには、トレイ収納部に収納される際に、給湯ポンプに接続された洗浄液吸込口、および、給湯トレイ内の水位を検出する水位検出手段が給湯トレイの開口から挿入される。
【先行技術文献】
【特許文献】
【０００４】
【特許文献１】特開２０１４−１７３８２８号公報
【発明の概要】
【発明が解決しようとする課題】
【０００５】
このような従来のレンジフードにおいては、給湯トレイの天面は洗浄液吸込口と水位検知手段とを差し込むための大きな開口を有しており、給湯トレイをトレイ収納部にセットする際に給湯トレイに入れた洗浄液がこぼれる恐れがある、という課題を有していた。
【０００６】
そこで本発明は、上記従来の課題を解決するものであり、水位検知手段を設けても給湯トレイをトレイ収納部にセットする際の洗浄液のこぼれを防止することができるレンジフードを提供することを目的とする。
【課題を解決するための手段】
【０００７】
そして、この目的を達成するために、本発明は、洗浄液を用いて、内部を洗浄する機能を有したレンジフードにおいて、天面を覆った給湯トレイと、前記給湯トレイを収納するトレイ収納部と、前記トレイ収納部には、前記給湯トレイの外側面に近接する位置に静電容量式の水位検知手段を設けたものであり、これにより所期の目的を達成するものである。
【発明の効果】
【０００８】
本発明によれば、洗浄液を用いて、内部を洗浄する機能を有したレンジフードにおいて、天面を覆った給湯トレイと、前記給湯トレイを収納するトレイ収納部と、前記トレイ収納部には、前記給湯トレイの外側面に近接する位置に静電容量式の水位検知手段を設けた、という構成にしたことにより、給湯トレイの外側で給湯トレイの内部の洗浄液を検知することとなる。従って、給湯トレイには、水位検知手段を挿入する開口が不要となり、給湯トレイをトレイ収納部にセットする際に洗浄液がこぼれることを防止することができる、という効果を得ることができる。
【図面の簡単な説明】
【０００９】
【図１】本発明の実施の形態１のレンジフードの正面断面図
【図２】同レンジフードの側面断面図
【図３】同レンジフードの水位検知手段の正面拡大図
【図４】同レンジフードの水位検知手段の正面拡大図
【図５】同レンジフードの水位検知手段のブロック図
【発明を実施するための形態】
【００１０】
本発明の請求項１記載のレンジフードは、洗浄液を用いて、内部を洗浄する機能を有したレンジフードにおいて、天面を覆った給湯トレイと、前記給湯トレイを収納するトレイ収納部と、前記トレイ収納部には、前記給湯トレイの外側面に近接する位置に静電容量式の水位検知手段を設けた、という構成を有する。これにより、給湯トレイの外側で給湯トレイの内部の洗浄液を検知することとなる。従って、給湯トレイには、水位検知手段を挿入する開口が不要となり、給湯トレイをトレイ収納部にセットする際に洗浄液がこぼれにくくなる、という効果を奏する。
【００１１】
また、本発明の請求項２記載のレンジフードは、前記給湯トレイは、天面に内部の洗浄液を吸い込むための洗浄液吸込部を挿入する開口を設けた、という構成にしてもよい。これにより、天面の開口は洗浄液吸込部を挿入する開口のみとすることとなるので、更に給湯トレイをトレイ収納部にセットする際に洗浄液がこぼれにくくなる、という効果を奏する。
【００１２】
また、本発明の請求項３記載のレンジフードは、前記水位検知手段は、基準とする静電容量検知部Ａと、前記静電容量検知部Ａに対して横幅を同一にして縦方向に長く、かつ、下端を同じ高さに配置した静電容量検知部Ｂと、前記静電容量検知部Ａの出力値Ａおよび前記静電容量検知部Ｂの出力値Ｂを用いて水位演算を行う演算部を有し、前記演算部は、前記出力値Ａと前記出力値Ｂとの差を水位に換算する、という構成にしてもよい。この構成により、水位検知手段の誤検知を低減することができる、という効果を奏する。
【００１３】
また、本発明の請求項４記載のレンジフードは、前記水位検知手段は、前記静電容量検知部Ａと前記静電容量検知部Ｂとが配置された周囲温度を測定する温度検知部を備え、前記演算部は、前記温度検知部の検知する温度によって前記静電容量検知部Ａの出力値Ａと前記静電容量検知部Ｂの出力値Ｂの補正を行う温度補正手段を備えた、という構成にしてもよい。この構成により、水位検知手段の誤検知を更に低減することができる、という効果を奏する。
【００１４】
以下、本発明の実施の形態について図面を参照しながら説明する。
【００１５】
（実施の形態１）
図１〜図５に示すように、本実施の形態のレンジフードは、調理器具（図示せず）の上方のキッチンの壁面３などに取り付けられる。このレンジフードは、フード１を有し、フード１に設けられた吸気口２は、調理器具から発生する油煙や周囲に浮遊する埃等を捕集する。フード１は、壁面３に例えばネジを介して取り付ける。フード１の天面には、屋外とダクト４を介して連通する排気口５を設ける。フード１は、内部に電動機６と、電動機６の回転軸７に取り付けた羽根車８と、羽根車８を包括した洗浄ケーシング９と、を配設する。吸気口２と排気口５とを結ぶ通風路１０には、羽根車８を備えている。
【００１６】
また、フード１の吸気口２には、平板状の整流板１１が配設され、整流板１１の周囲の吸込風速を高めている。
【００１７】
なお、電動機６はＡＣモータでもＤＣモータでも良いが、好ましくは羽根車８の回転数を制御できるＤＣモータが良い。
【００１８】
また、羽根車８は、種類としては静圧が高いシロッコファンが好ましい。
【００１９】
洗浄ケーシング９の下方には、箱状で下面が開口したトレイ収納部１２を設ける。トレイ収納部１２は、羽根車８を洗浄するための洗浄液１３を貯水する給湯トレイ１４と、羽根車８の洗浄後の洗浄液１３を貯水する排水トレイ１５を備える空間を有している。そして、給湯トレイ１４と、排水トレイ１５は、トレイ収納部１２の内部に着脱できるようになっている。
【００２０】
給湯トレイ１４の天面には、給湯トレイ１４を覆うように給湯トレイフタ１８が取り付けられている。給湯トレイフタ１８は、天面の一部分を開口した給水口１６を備えている。同様に、排水トレイ１５の天面には、排水トレイ１５を覆うように排水トレイフタ１９が取り付けられている。排水トレイフタ１９は、天面の一部分を開口した排水受口１７を備えている。
【００２１】
また、トレイ収納部１２の天面には、洗浄液１３を吸込むための吸込口であるパイプ状の洗浄液吸込部２０を備える。洗浄液吸込部２０は、給湯トレイ１４を装着する際に、給湯トレイ１４の天面に設けられた開口から給湯トレイ１４内に挿入される。洗浄液吸込部２０は、トレイ収納部１２に収納した給湯トレイ１４に洗浄液吸込部２０の下端が給湯トレイ１４の底面に近接するように備えられている。そして、トレイ収納部１２の天面は、洗浄液吸込部２０を挿入するための開口だけが設けられている。
【００２２】
洗浄液吸込部２０の上端は、給湯ポンプ２１のポンプ吸込口２２に接続する。給湯ポンプ２１のポンプ吐出口２３は、チューブ２４を介して洗浄ケーシング９に接続する。
【００２３】
そして、トレイ収納部１２には、給湯トレイ１４の外側に静電容量式の水位検知手段２５を備える。トレイ収納部１２の天面の開口は洗浄液吸込部２０を挿入する開口のみとすることとなるので、給湯トレイ１４をトレイ収納部１２にセットする際のトレイ収納部１２の天面から洗浄液１３がこぼれにくくすることができる。
【００２４】
水位検知手段２５は、静電容量検知部Ａ２６と、静電容量検知部Ｂ２７と,演算部２８と、静電容量制御部２９と、を備えている。静電容量検知部Ｂ２７は、具体的には後述するが、静電容量検知部Ａ２６よりも静電容量を検知するレンジすなわち検知する範囲が広くなっている。演算部２８は、静電容量検知部Ａ２６で出力される出力値Ａおよび静電容量検知部Ｂ２７で出力される出力値Ｂを用いて水位演算を行う。演算部２８は、出力値Ａと出力値Ｂとの差から水位の換算を行う。詳しくは、後述する。静電容量制御部２９は、静電容量検知部Ａ２６と静電容量検知部Ｂ２７に電圧を印加する制御を行うとともに、静電容量検知部Ａ２６の出力値Ａと静電容量検知部Ｂ２７の出力値Ｂを演算部２８に伝達する。
【００２５】
静電容量検知部Ａ２６と、静電容量検知部Ｂ２７は、それぞれ２枚の電極板（電極Ａ３０、３１、及び電極Ｂ３２、３３）で構成されている．静電容量制御部２９は、静電容量検知部Ａ２６の電極Ａ３０、３１の間と、静電容量検知部Ｂ２７の電極Ｂ３２、３３の間に電圧を印加する。そして、静電容量検知部Ａ２６、静電容量検知部Ｂ２７は、給湯トレイ１４内の洗浄液１３の静電容量を検出し、出力する。
【００２６】
静電容量検知部Ａ２６は、２枚（たとえば、銅箔板）の電極Ａ３０、電極Ａ３１と、この電極Ａ３０、電極Ａ３１に並列接続される任意のインダクタンス成分（たとえば、コイル）と任意の静電容量成分（たとえば、コンデンサ）とからなるＬＣ並列共振回路（図示せず）にて構成される。同様に、静電容量検知部Ｂ２７は、２枚の電極Ｂ３２、電極Ｂ３３と、この電極Ｂ３２、電極Ｂ３３に並列接続される任意のインダクタンス成分と任意の静電容量成分とからなる別のＬＣ並列共振回路にて構成される。
【００２７】
電極Ａ３０と電極Ａ３１は、同一の形状、大きさとなっている。また、電極Ｂ３２と電極Ｂ３３は、同一の形状、大きさとなっている。そして、電極Ｂ３２、電極Ｂ３３は、電極Ａ３０、電極Ａ３１に対して、同一の幅を持ち、高さ方向の寸法が大きくなっている。そして、電極Ａ３０、電極Ａ３１、電極Ｂ３２、電極Ｂ３３は、下端を同じ高さ位置に設置されている。
【００２８】
そして、図４に示すように、２枚の電極Ａ３０と電極Ａ３１は、給湯トレイ１４の外側に横方向に並列して配置される。そして、２枚の電極Ａ３０と電極Ａ３１は、電極Ａ３０とトレイ収納部１２と給湯トレイ１４と洗浄液１３と給湯トレイ１４とトレイ収納部１２と電極Ａ３１とを合計した静電容量を検出する。
【００２９】
このＬＣ並列共振回路に所定の電圧約３Ｖを印加して、インダクタンスと静電容量とからＬＣ並列共振周波数を算出する。出力値Ａは、このＬＣ並列共振回路に並列に接続される２枚の電極Ａ３０、３１とトレイ収納部１２と給湯トレイ１４とから構成される合成静電容量によって生じるＬＣ並列共振周波数との差から算出する。
【００３０】
同様に、出力値Ｂも、別のＬＣ並列共振回路に並列に接続される２枚の電極Ｂ３２、３３とトレイ収納部１２と給湯トレイ１４とから構成される合成静電容量によって生じるＬＣ並列共振周波数との差から算出する。
【００３１】
このように構成することによって、給湯トレイ１４の洗浄液１３の液面が上昇し、静電容量検知部Ａ２６の２枚の電極Ａ３０、３１の高さよりも液面が高くなった場合、液面の上昇による出力値Ａの静電容量値の上昇はほぼなくなる。一方、静電容量検知部Ｂ２７の２枚の電極Ｂ３２、３３は、洗浄液１３の量が増加して液面高さが高くなるに伴って検出できる静電容量がリニアに増加し出力値Ｂは大きな値となる。また、それぞれ２枚の電極Ａ３０、３１と電極Ｂ３２、３３を同一幅に設定しているため、水位の上昇による静電容量値の増加率は洗浄液１３の水位の上昇に比例することになる。静電容量検知部Ａ２６の２枚の電極Ａ３１、３２の高さを超えると、静電容量検知部Ａ２６で検出する静電容量（出力値Ａ）と静電容量検知部Ｂ２７で検出する静電容量（出力値Ｂ）との差が顕著になる。この差（出力値Ｂ−出力値Ａ）を用いることによって、洗浄液１３の水位を検知することができることとなる。すなわち、ひとつの静電容量検知部によって水位を検出すると、静電容量を検出する際の外乱等によって、出力される静電容量値から換算される水位と実際の水位との誤差が大きくなることがある。しかし、２つの静電容量検知部（静電容量検知部Ａ２６、静電容量検知部Ｂ２７）の出力差を用いることによって外乱の影響をキャンセルできるのである。
【００３２】
具体的には、演算部２８は、２枚の電極Ａ３０、３１から検出される静電容量（出力値Ａ）に対して２枚の電極Ｂ３２、３３から検出される静電容量（出力値Ｂ）との差を算出する。そして、演算部２８は、この差（出力値Ｂ−出力値Ａ）を静電容量差と水位の関係テーブルを用いて、水位に換算する。この静電容量差と水位の関係テーブルは、実験から静電容量値と水位との関係を求め、演算部２８に記憶させておく。このように、演算部２８は、静電容量検知部Ａ２６の出力値Ａを基準として静電容量検知部Ｂ２７の出力値Ｂから洗浄液１３の水位を算出するのである。
【００３３】
このような検出方法によれば、２つの静電容量検知部Ａ２６、静電容量検知部Ｂ２７には、同時に外乱の影響が出るので、静電容量検知部Ａ２６、静電容量検知部Ｂ２７の出力値の差には、外乱の影響がキャンセルされるのである。そして、静電容量検知部Ａ２６、静電容量検知部Ｂ２７の出力値がほぼ同じの場合には、静電容量検知部Ａ２６の電極の高さに相当する水位以下と判断できる。
【００３４】
このように、本実施の形態によれば、外乱が生じてもノイズを相殺することができ、洗浄液１３の水位を誤検知することなく精度よく検出することができる。そして、検出された水位に基づいて、十分な貯水量があればレンジフード内の洗浄を行う制御を実施し、貯水量が不足していれば、給水を促す制御を行うのである。例えば、電極Ｂ３２、３３の高さを満水レベルの高さにし、電極Ａ３０、３１の高さを電極Ｂ３２、３３の３分の１にする。このような構成にすることによって、静電容量検知部Ａ２６の出力値Ａ、静電容量検知部Ｂ２７の出力値Ｂとがほぼ同じ場合（出力値Ａと出力値Ｂとの差がほぼゼロの場合）には、渇水と判断する。一方、出力値Ａと出力値Ｂの差が生じた場合には、前述した静電容量差と水位の関係テーブルから満水レベル、あるいは、１／３以上満水以下を判断することができる。
【００３５】
また、水位検知手段２５は、給湯トレイ１４の外側に設けられた温度検知部３４を有していてもよい。温度検知部３４は、静電容量検知部Ａ２６と静電容量検知部Ｂ２７の周囲の温度を測定する。静電容量制御部２９は、静電容量検知部Ａ２６と静電容量検知部Ｂ２７と温度検知部３４とを駆動させて出力値Ａと出力値Ｂと周囲温度値とを出力して演算部２８へ入力させる。演算部２８は、温度補正手段３５を備えている。静電容量検知部Ａ２６、静電容量検知部Ｂ２７が検知する静電容量は、その周囲温度値に応じて変化する誘電率によって影響される。この周囲温度の影響を補正するため、温度補正手段３５は、温度検知部３４の検知温度に応じて、出力値Ａおよび出力値Ｂの補正を行う。この構成により、周囲温度変化による影響を相殺することができ、洗浄液１３の水位を誤検知することなく精度よく検出することができる。
【産業上の利用可能性】
【００３６】
本発明にかかるレンジフードは、水位検知手段をトレイ収納部に設けても給湯トレイをトレイ収納部にセットする際の洗浄液がこぼれにくくすることができることを可能とするものであるので、液体を使用者が供給する必要がある製品に使用される液体の有無を判断する手段等として有用である。
【符号の説明】
【００３７】
１    フード
２    吸気口
３    壁面
４    ダクト
５    排気口
６    電動機
７    回転軸
８    羽根車
９    洗浄ケーシング
１０    通風路
１１    整流板
１２    トレイ収納部
１３    洗浄液
１４    給湯トレイ
１５    排水トレイ
１６    給水口
１７    排水受口
１８    給湯トレイフタ
１９    排水トレイフタ
２０    洗浄液吸込部
２１    給湯ポンプ
２２    ポンプ吸込口
２３    ポンプ吐出口
２４    チューブ
２５    水位検知手段
２６    静電容量検知部Ａ
２７    静電容量検知部Ｂ
２８    演算部
２９    静電容量制御部
３０    電極Ａ
３１    電極Ａ
３２    電極Ｂ
３３    電極Ｂ
３４    温度検知部
３５    温度補正手段
【図１】
2018124002.tif 000003
【図２】
2018124002.tif 000004
【図３】
2018124002.tif 000005
【図４】
2018124002.tif 000006
【図５】
2018124002.tif 000007